(57)【要約】【課題】小型化しても厨芥の処理時間に影響しない厨芥処理機を提供することを目的とする。【解決手段】厨芥を収容する処理容器２と、厨芥を処理容器内で撹拌する撹拌手段３ａ、３ｂと、厨芥の処理中に発生する蒸気を外部に排出する排気手段４と、処理容器内に設置し撹拌される厨芥と接触する熱供給のための減量手段５とを備え、前記排気手段４内に触媒装置８を設けると共に、前記減量手段５を中空の仕切り板により構成し、触媒装置８により脱臭処理されて排気手段４から排出される蒸気を、前記仕切り板に供給する構成としたものである。これにより、小型化しても、減量手段５の存在で厨芥が受ける受熱面積が小さくなることがなく、厨芥の処理時間に影響しない厨芥処理機を提供できるものである。【選択図】図１
2005342596.tif 000002
【特許請求の範囲】
【請求項１】
厨芥を収容する処理容器と、前記処理容器内の厨芥を撹拌する撹拌手段と、厨芥の処理中に発生する蒸気を外部に排出する排気手段と、前記処理容器内に設置され前記撹拌手段により撹拌される厨芥と接触して熱を供給する減量手段とを備え、前記排気手段内に触媒装置を設けると共に、前記減量手段を中空の仕切り板により構成し、前記触媒装置により脱臭処理されて排気手段から排出される蒸気を、前記仕切り板に供給する構成とした厨芥処理機。
【請求項２】
撹拌手段は、水平に配置した撹拌軸と、前記撹拌軸に直交して設けられた複数の撹拌体とを備え、減量手段は前記撹拌体間に位置すると共に、ヒータを内蔵する構成とした請求項１に記載の厨芥処理機。
【請求項３】
仕切り板の上端は撹拌軸に、下端は処理容器の底面に、それぞれ近接させて設けた請求項１または２に記載の厨芥処理機。
【請求項４】
仕切り板が有するヒータは、撹拌軸の鉛直方向に配設されると共に前記ヒータを温度制御可能とした請求項２に記載の厨芥処理機。
【発明の詳細な説明】
【技術分野】
【０００１】
本発明は、家庭やレストランなどで使用される乾燥式の厨芥処理機に関するものである。
【背景技術】
【０００２】
従来、この種の厨芥処理機としては、厨芥を処理容器内で撹拌手段により撹拌しつつ加熱処理するものが知られている（例えば、特許文献１参照）。
【特許文献１】特開２００４−０３３９０４号公報
【発明の開示】
【発明が解決しようとする課題】
【０００３】
しかしながら、前記従来の構成では、厨芥処理機の小型化をする場合、厨芥の処理時間に影響が出てくるものであった。つまり、厨芥の処理時間は厨芥が受ける受熱面積に比例するものであり、厨芥処理機を小型化すればそれにつれて厨芥が受ける受熱面積も小さくなり、厨芥の処理時間も長くなるという課題があった。
【０００４】
本発明は、前記従来の課題を解決するもので、小型化しても厨芥の処理時間に影響しない厨芥処理機を提供することを目的とする。
【課題を解決するための手段】
【０００５】
前記従来の課題を解決するために、本発明の厨芥処理機は、厨芥を収容する処理容器と、前記処理容器内の厨芥を撹拌する撹拌手段と、厨芥の処理中に発生する蒸気を外部に排出する排気手段と、前記処理容器内に設置され前記撹拌手段により撹拌される厨芥と接触して熱を供給する減量手段とを備え、前記排気手段内に触媒装置を設けると共に、前記減量手段を中空の仕切り板により構成し、前記触媒装置により脱臭処理されて排気手段から排出される蒸気を、前記仕切り板に供給する構成としたものである。
【０００６】
これにより、小型化しても、減量手段の存在で、厨芥が受ける受熱面積が小さくなることなく、厨芥の処理時間に影響しないものである。
【発明の効果】
【０００７】
本発明の厨芥処理機は、小型化しても厨芥の処理時間に影響しない厨芥処理機とすることができる。
【発明を実施するための最良の形態】
【０００８】
第１の発明は、厨芥を収容する処理容器と、前記処理容器内の厨芥を撹拌する撹拌手段と、厨芥の処理中に発生する蒸気を外部に排出する排気手段と、前記処理容器内に設置され前記撹拌手段により撹拌される厨芥と接触して熱を供給する減量手段とを備え、前記排気手段内に触媒装置を設けると共に、前記減量手段を中空の仕切り板により構成し、前記触媒装置により脱臭処理されて排気手段から排出される蒸気を、前記仕切り板に供給する構成とすることにより、小型化しても、減量手段の存在で、厨芥が受ける受熱面積が小さくなることなく、厨芥の処理時間に影響しないものである。
【０００９】
第２の発明は、第１の発明において、撹拌手段が、水平に配置した撹拌軸と、前記撹拌軸に直交して設けられた複数の撹拌体とを備え、減量手段は前記撹拌体間に位置すると共に、ヒータを内蔵する構成としたことにより、厨芥が受ける受熱面積を大きくすることができるものである。
【００１０】
第３の発明は、第１または第２の発明において、仕切り板の上端は撹拌軸に下端は処理容器の底面にそれぞれ接近させて設けたことにより、撹拌手段と仕切り板間で厨芥を粉砕でき、厨芥全体に熱が伝わりやすく、厨芥処理時間の短縮が図れる。
【００１１】
第４の発明は、第２の発明において、仕切り板が有するヒータは、上下方向に配設するとともにヒータは温度制御可能としたことにより、きめ細かな制御で効率的に厨芥へ熱供給が行える。
【００１２】
以下、本発明の実施の形態について、図面を参照しながら説明する。なお、この実施の形態により本発明が限定されるものではない。
【００１３】
（実施の形態１）
図１、図２は、本発明の実施の形態１における厨芥処理機を示すものである。
【００１４】
図１に示すように、厨芥処理機本体１は、厨芥（生ゴミ）を収容する処理容器２と、厨芥を処理容器２内で撹拌する撹拌手段３と、厨芥の処理中に発生する蒸気を外部に排出する排気手段４と、処理容器２内に設置され撹拌される厨芥と接触して熱を供給する減量手段５と、処理容器２の開口部に開閉自在に設けた蓋体６とを備えている。
【００１５】
前記処理容器２は、図２に示すように、略Ｕ字状をした断面形状をしているものである。また、撹拌手段３は、処理容器２内に水平に配置した撹拌軸３ａと、この撹拌軸３ａに直交して設けた複数の撹拌体３ｂとから構成し、減速機内蔵のモータ７により撹拌軸３ａ、すなわち、撹拌体３ｂが回転駆動されるようになっている。また、排気手段４は、排気経路の途中に触媒装置８を備えており、厨芥の処理時に発生する蒸気に含まれる臭気を触媒反応で脱臭するようにしている。
【００１６】
そして、減量手段５は、撹拌体３ｂ間に位置して複数個設けた、ヒータ内蔵の仕切り板９により構成している。この仕切り板９の上端は撹拌軸３ａに、下端は処理容器２の底面にそれぞれ接近させて設け、撹拌手段３と仕切り板９間で厨芥を粉砕できるようになっている。さらに、仕切り板９は面状のヒータ１０を複数個（本実施の形態では３個）有するものであり、これらのヒータ１０は上下方向に配設するとともに、各仕切り板９の同じ位置に位置するヒータ１０は各温度センサー（図示せず）により個別にまたは同時に温度制御することができるように構成されている。
【００１７】
また、蓋体６は、図示していないが、乾燥ヒータおよび乾燥ファンを内蔵しており、処理容器２側のパンチングメタルよりなるカバーから、撹拌される厨芥に対して温風を供給する構成となっている。つまり、蓋体６からの温風供給は、撹拌される厨芥へ熱供給する減量手段５と同様の機能をもっているものである。
【００１８】
次に、本実施の形態における厨芥処理機の動作、作用について説明する。
【００１９】
処理容器２内に投入された厨芥は、撹拌手段３で粉砕撹拌されながら、蓋体６からの温風供給と、減量手段５のヒータ１０による直接加熱により、乾燥処理される。処理中に発生する蒸気は、触媒装置８で脱臭処理され、排気手段４から外部に排出される。
【００２０】
ここで、処理容器２内に設置し撹拌される厨芥と接触する熱供給の減量手段５を備えたことにより、小型化しても、減量手段５の存在で、厨芥が受ける受熱面積が小さくなることなく、厨芥の処理時間に影響しないものである。特に、減量手段５は撹拌体３ｂ間に位置して複数個設けたヒータ内蔵の仕切り板９により構成したことにより、厨芥が受ける受熱面積を大きくすることができるものである。また、仕切り板９の上端は撹拌軸３ａに下端は処理容器２の底面にそれぞれ接近させて設けたことにより、撹拌手段３と仕切り板９間で厨芥を粉砕でき、厨芥全体に熱が伝わりやすく、厨芥処理時間の短縮がはかれる。また、仕切り板９はヒータ１０を複数個有するものとすることにより、ヒータの一部が部分的に異常加熱することを防止し、ヒータの保護がはかれるだけでなく、効率的に厨芥へ熱供給が行える。そして、仕切り板９の複数個のヒータ１０は上下方向に配設するとともにヒータ１０は温度制御可能としたことにより、処理容器２内の厨芥が偏った状態にある場合でも、きめ細かな制御で効率的に厨芥へ熱供給が行え、加熱減量することができる。
【００２１】
（実施の形態２）
図３は、本発明の実施の形態２における厨芥処理機の要部を示すものである。実施の形態１と同一要素については同一符号を付して説明を省略する。
【００２２】
本実施の形態における厨芥処理機は、減量手段５を中空の仕切り板９により構成し、この仕切り板９に、排気手段４の触媒装置８で脱臭処理された蒸気を供給するようにしたものである。すなわち、仕切り板９は、ヒータ１０の代わりに排気熱を用い、撹拌される厨芥を加熱するようにしたものである。仕切り板９の機能および他の構成は、実施の形態１と同じである。
【００２３】
このように、本実施の形態においては、排気熱を利用して効率のよい厨芥の減量処理ができるものである。同時に、ヒータ１０を有しないため、構成的に簡単なものとなる。
【産業上の利用可能性】
【００２４】
以上のように、本発明にかかる厨芥処理機は、小型化しても厨芥の処理時間に影響しないものとすることができるので、設置場所の狭い箇所に設置して使用する厨芥処理機としては極めて有用である。
【図面の簡単な説明】
【００２５】
【図１】本発明の実施の形態１における厨芥処理機を示す断面図
【図２】同厨芥処理機の要部断面図
【図３】本発明の実施の形態２における厨芥処理機を示す要部断面図
【符号の説明】
【００２６】
２  処理容器
３ａ  撹拌軸（撹拌手段）
３ｂ  撹拌体（撹拌手段）
４  排気手段
５  減量手段
８  触媒装置
９  仕切り板
１０  ヒータ
【図１】
2005342596.tif 000003
【図２】
2005342596.tif 000004
【図３】
2005342596.tif 000005